(57)【要約】【課題】  媒体を分離・繰り出しする際に静電気による媒体間の吸着力を低減させて重送等の不具合の発生を防止する紙幣収納装置を提供する。【解決手段】  紙幣収納装置２０は、紙幣を収納する紙幣収納部２７および開閉可能な扉２４を有し、紙幣収納部２７の両側に除電器３１を配設する。紙幣収納部２７の下部には紙幣有無センサ３０が設けられ、また扉２４の開閉を検出する扉センサ３３が設けられる。除電器３１は紙幣収納装置２０内に設けられた電池により作動し、ＣＰＵ制御部の制御により、紙幣が装填されたことおよび扉２４が閉められたときに、除電器３１を作動して収納紙幣の静電気を除去する。【選択図】  図１
2007052523.tif 000002
【特許請求の範囲】
【請求項１】
収納部に繰り出し可能に媒体を収納した媒体収納装置において、
前記収納部内における媒体の有無を検出する媒体有無検出手段と、
収納された媒体に帯電された静電気を除去する除電手段と、
前記媒体有無検出手段により収納部内に媒体があることを確認して前記除電手段により媒体の帯電した静電気を除去する制御手段とを設けたことを特徴とする媒体収納装置。
【請求項２】
前記収納部は媒体を収納する際に開閉する扉を有し、
前記扉の開閉を検出する扉開閉検出手段を有し、
前記制御手段は、前記扉開閉検出手段により扉の閉状態を確認した後に前記除電手段により媒体の静電気を除去する請求項１記載の媒体収納装置。
【請求項３】
前記媒体有無検出手段、前記除電手段および前記制御手段は電池から電源を供給される請求項１記載の媒体収納装置。
【請求項４】
媒体収納装置は媒体処理装置に装着されるものであり、
媒体収納装置が前記媒体処理装置に装着され電気的に接続された際に、前記媒体有無検出手段、前記除電手段および前記制御手段は前記媒体処理装置から電源を供給される請求項１記載の媒体収納装置。
【請求項５】
媒体収納装置は媒体処理装置に装着されるものであるとともに、電池を具備し、
前記電池の容量を検出する容量検出手段と、
電源供給元を前記電池とするか前記媒体処理装置とするかを切り替える電源供給元切替手段とを設け、
前記制御手段は、媒体収納装置が前記媒体処理装置に装着され電気的に接続された際に、前記容量検出手段により前記電池の容量が少ないと判断した場合に、前記電源供給元切替手段により電源供給元を前記媒体処理装置とする請求項１記載の媒体収納装置。
【請求項６】
前記制御手段は、前記媒体処理装置から収納媒体を分離する命令または媒体を収納状態に集積する命令を受信した場合に、前記除電手段により媒体の静電気を除去する請求項４記載の媒体収納装置。
【請求項７】
前記制御手段は、媒体分離停止命令または媒体集積停止命令を受信したときに静電気の除去を停止する請求項６記載の媒体収納装置。
【請求項８】
前記除電手段は、コロナ放電を利用し、イオンを発生させる請求項１乃至７のいずれかに記載の媒体収納装置。
【発明の詳細な説明】
【技術分野】
【０００１】
本発明は、紙幣等の媒体を繰り出し可能に収納する媒体収納装置に関し、特に現金自動取引装置等の媒体処理装置に着脱可能に設けられ、収納した媒体を媒体処理装置に対して出し入れする媒体収納装置に関する。
【背景技術】
【０００２】
従来、現金自動取引装置に設けられる紙幣収納装置においては、繰り出し可能なように紙幣を積層状態に収納している。紙幣を繰り出す場合は、最上位の紙幣から１枚ずつ分離して繰り出すようにしている。また紙幣収納装置に紙幣を収納させる場合は、現金自動取引装置から１枚ずつ搬送されてくる紙幣を積層状態に集積して装置内に収納するようにしている。しかしながら、このような分離繰り出し又は集積を行う際に、静電気の影響により、紙幣の分離性能および集積性能が悪化したり、あるいは静電ノイズによる装置誤動作を惹き起こすことがあった。
【０００３】
これらに対する対策として、従来では、紙幣収納装置内の紙幣搬送路や分離・集積部に紙幣に接触するように除電ブラシ等を設けていた。除電ブラシは、紙幣収納装置が装着される現金自動取引装置の接地部品と導通を取ることにより、紙幣に帯電した静電気を除去するようにしていた。紙幣の搬送路に除電ブラシを設けたものとして、例えば特開２０００−１１２３２号公報に開示されるものがある。
【特許文献１】特開２０００−１１２３２号公報
【発明の開示】
【発明が解決しようとする課題】
【０００４】
しかしながら従来の媒体収納装置においては、次のような問題があった。例えば上記文献に開示される装置においては、媒体としての紙幣の静電気を除去する除電ブラシは装置の搬送路に固定されており、紙幣は搬送されない限り除電ブラシで静電気を除去することはできない。しかしながら、紙幣を出金取引として排出する機能を有する装置においては、紙幣を前以って装置内に装填する必要がある。その場合に、装填する紙幣に既に静電気が帯電している場合には、収納されている紙幣を分離して繰り出す場合に静電気の影響でうまく分離されずに重送が発生したり、あるいは搬送途中で紙幣の姿勢が不安定になり搬送詰まり等の不具合の原因になるという問題があった。
【０００５】
そこで本発明は、媒体収納装置から媒体を分離・繰り出しする際に静電気による媒体間の吸着力を低減させて重送等の不具合の発生を防止することを目的とする。
【課題を解決するための手段】
【０００６】
上記課題を解決するために本発明は、収納部に繰り出し可能に媒体を収納した媒体収納装置において、前記収納部内における媒体の有無を検出する媒体有無検出手段と、収納された媒体に帯電された静電気を除去する除電手段と、前記媒体有無検出手段により収納部内に媒体があることを確認して前記除電手段により媒体の帯電した静電気を除去する制御手段とを設けたことを特徴とするものである。
【０００７】
媒体有無検出手段、除電手段および制御手段は電池から電源を供給されるものとすることにより、媒体収納装置を単独で取り扱っている場合でも収納媒体の静電気を除去することができる。
【０００８】
また他の発明として、媒体収納装置は媒体処理装置に装着されるものとし、媒体収納装置が媒体処理装置に装着され電気的に接続された際に、媒体有無検出手段、除電手段および制御手段は媒体処理装置から電源を供給されるものとする。
【０００９】
さらに他の発明として、媒体収納装置は媒体処理装置に装着されるものであるとともに、電池を具備するようにし、電池の容量を検出する容量検出手段と、電源供給元を電池とするか媒体処理装置とするかを切り替える電源供給元切替手段とを設け、制御手段は、媒体収納装置が媒体処理装置に装着され電気的に接続された際に、容量検出手段により電池の容量が少ないと判断した場合に、電源供給元切替手段により電源供給元を媒体処理装置とするようにする。
【００１０】
そして制御手段は、媒体処理装置から収納媒体を分離する命令または媒体を収納状態に集積する命令を受信した場合に、除電手段により媒体の静電気を除去するものとする。
【発明の効果】
【００１１】
本発明によれば、媒体有無検出手段により収納部内に媒体があることを確認して除電手段により媒体の帯電した静電気を除去するようにしたことにより、媒体収納装置から媒体を分離・繰り出しする際に静電気による媒体間の吸着力を低減させて重送等の不具合の発生を防止することができる。
【００１２】
また媒体有無検出手段、除電手段および制御手段に電源を供給する電池を具備することにより、媒体収納装置を単独で取り扱っている場合でも収納媒体の静電気を除去することができる。
【００１３】
また他の発明として、媒体収納装置は媒体処理装置に装着されるものとし、媒体処理装置から媒体有無検出手段、除電手段および制御手段に電源を供給されるようにすることにより、特別な操作をすることなく、収納された媒体が分離・繰り出されする際に静電気による媒体間の吸着力を低減させて重送等の不具合の発生を防止することができる。
【００１４】
さらに他の発明として、媒体収納装置は媒体処理装置に装着されるものであるとともに、電池を具備するようにし、電池の容量を検出する容量検出手段と、電源供給元を電池とするか媒体処理装置とするかを切り替える電源供給元切替手段とを設け、制御手段は、媒体収納装置が媒体処理装置に装着され電気的に接続された際に、容量検出手段により電池の容量が少ないと判断した場合に、電源供給元切替手段により電源供給元を媒体処理装置とするようにすることにより、電池が寿命となった場合でも、媒体処理装置から電源供給を行うことにより、媒体の静電気を除去することが可能になる。
【００１５】
また制御手段を、媒体処理装置から収納媒体を分離する命令または媒体を収納状態に集積する命令を受信した場合に、除電手段により媒体の静電気を除去するものとすることにより、媒体の除電をしながら媒体の分離・繰り出しを行うので、静電気による媒体間の吸着力の低減を良好に行うことができるとともに、必要なときに除電を行っているので、節電効果もある。
【発明を実施するための最良の形態】
【００１６】
以下、本発明の実施の形態を図面にしたがって説明する。各図面に共通する要素には同一の符号を付す。図１は第１の実施の形態の紙幣収納装置を示す斜視図、図２は第１の実施の形態の紙幣収納装置が装着される現金自動取引装置を示す一部切欠き斜視図、図３は現金自動取引装置に装着される紙幣入出金部を示す斜視図、図４は第１の実施の形態の紙幣収納装置を示す斜視図、図５は第１の実施の形態の紙幣収納装置を示す側面図である。なお以下に説明する各実施の形態においては、媒体収納装置として自動取引装置に装着される紙幣収納装置を例に説明する。
【００１７】
図２において、現金自動取引装置１は顧客の操作により出金取引や入金取引を行うもので、現金自動取引装置１の接客側にはカード挿入口２、顧客操作部３、硬貨入出金口４、紙幣入出金口５、通帳挿入口６等が設けられている。カード挿入口２は顧客の所有するキャッシュカードを挿入する口である。顧客操作部３は表示部とタッチパネルから構成され、顧客に対して操作ガイダンスを表示するとともに顧客による入力操作が行われるものである。硬貨入出金口４は、入金取引時に硬貨が投入されるとともに、出金取引時に硬貨が排出される部分である。
【００１８】
紙幣入出金口５は、入金取引時に紙幣が投入されるとともに、出金取引時に紙幣が排出される部分である。通帳挿入口６は顧客が通帳を使用して取引を行う際に通帳を挿入するとともに、取引終了時に通帳が排出される部分である。また現金自動取引装置１の内部には紙幣入出金部７が設けられている。紙幣入出金部７は紙幣の入金処理および出金処理を行うものである。
【００１９】
図３において、紙幣入出金部７の上部には、上述した紙幣入出金口５に接続する紙幣通行口８が形成されており、その下方には紙幣鑑別部９が設けられている。紙幣入出金部７の下側には、収納部１０が形成され、収納部１０には２台の紙幣収納装置２０が着脱可能に装着されるようになっている。本実施の形態においては、２台のうちの１台は予備として用いられるものである。
【００２０】
図４は収納部１０から取り出した紙幣収納装置２０を示し、図５は紙幣収納装置２０の内部を示す。図４、図５において、紙幣収納装置２０は概ね直方体の箱体に形成され、上部には持ち運びを容易にするために取っ手２１が設けられている。紙幣収納装置２０の前面部には、紙幣通過口２２、２３が形成されている。図３に示す紙幣鑑別部９で鑑別されて図示しない搬送路を搬送されてくる紙幣が、紙幣鑑別部９の鑑別結果により紙幣通過口２２または紙幣通過口２３に送られてくる。
【００２１】
紙幣通過口２２に接続して搬送路２２ａが設けられ、さらに紙幣収納部２６が設けられている。搬送路２２ａには搬送ローラ２６ａが回転可能に設けられている。紙幣通過口２２へ搬送されてきた紙幣は、搬送ローラ２６ａにより紙幣収納部２６へ送られ、ここに収納される。紙幣収納部２６には、再び出金することのない紙幣が収納されるようになっている。
【００２２】
また紙幣通過口２３に接続して搬送路２３ａが設けられ、さらに紙幣収納部２７が設けられている。搬送路２３ａには搬送ローラ２７ａが回転可能に設けられている。紙幣通過口２３へ搬送されてきた紙幣は、搬送ローラ２７ａにより紙幣収納部２７へ送られ、ここに収納される。紙幣収納部２７には、再び出金する可能性のある紙幣が収納される。そのために紙幣収納部２７の上部には、収納部２７内の紙幣を搬送路２３ａに繰り出すための繰り出しローラ２７ｂが配設されている。
【００２３】
紙幣収納装置２０の側部には、図４に示すように、扉２４が開閉可能に設けられている。紙幣を紙幣収納装置２０内にセットする場合、この扉２４を開けて紙幣をセットする。また扉２４に施錠を行う鍵２５が設けられている。
【００２４】
図１は紙幣収納装置２０の扉を開いた状態を示す。図１において、紙幣収納装置２０の内部には紙幣収納部２６を構成する紙幣載置台２８が設けられ、また紙幣収納部２７を構成するステージ２９が設けられている。ステージ２９は図示しない機構により上下動可能となっている。ステージ２９の上部には紙幣有無センサ３０が設けられている。紙幣有無センサ３０はステージ２９上の紙幣の有無を検出する。
【００２５】
紙幣収納部２７の両側には除電器３１が設けられている。図１には１つしか示していないが、図６に示すように、除電器３１は紙幣収納部２７の両側に設けられている。図６は紙幣収納部２７に紙幣３２が収納されている状態を示す。同図に示すように、除電器３１は収納される紙幣３２の上部まで設けられている。
【００２６】
図１に戻って説明すると、扉２４が閉じる部分には扉センサ３３が配設されている。扉センサ３３は扉２４の開閉を検出する。またステージ２９の下部にはコントロール部３４が設けられている。コントロール部３４は、図７に示すように、制御基板３５、制御基板３５上に実装された制御チップ３６、電源を供給する電池３７およびカバー３８を有する。
【００２７】
図８は第１の実施の形態の紙幣収納装置における除電システムを示すブロック図である。図８において、紙幣収納装置２０には紙幣有無センサ３０、除電器３１、扉センサ３３の他に、マイクロコンピュータからなるＣＰＵ制御部３９、アンプ４０が設けられている。これらの各部は電池３７から電源が供給される。紙幣有無センサ３０と扉センサ３３はアンプ４０を介してＣＰＵ制御部３９に接続され、除電器３１は直接ＣＰＵ制御部３９に接続されている。除電器３１としては、例えばコロナ放電を利用したイオナイザ等を用いる。
【００２８】
ＣＰＵ制御部３９は図７に示す制御チップ３６に設けられるもので、紙幣収納装置２０の動作を制御する。アンプ４０も同様に制御チップ３６に設けられる。ＣＰＵ制御部３９、アンプ４０も除電器３１とともに、電池３７から電源供給される。
【００２９】
次に第１の実施の形態の動作を説明する。ここでは紙幣収納装置における除電動作について図９に従って説明する。図９は第１の実施の形態の動作を示すフローチャートである。
【００３０】
通常、紙幣収納装置２０の紙幣収納部２７に、オペレータが手作業で紙幣３２を装填し、その後紙幣３２を装填した紙幣収納装置２０を紙幣入出金部７の収納部１０に装着する。ＣＰＵ制御部３９は、扉センサ３３により紙幣収納装置２０の扉２４の開閉を監視するとともに、紙幣有無センサ３０により紙幣収納部２７における紙幣３２の有無を監視している。
【００３１】
紙幣収納装置２０の紙幣収納部２７に紙幣３２が装填されると、紙幣有無センサ３０により紙幣有りが検出される（ステップ１）。その後オペレータが扉２４を閉じると、扉閉が検出される（ステップ２）。扉閉を検出すると、ＣＰＵ制御部３９は除電器３１に制御信号を与える。これにより除電器３１はコロナ放電を利用してイオンを生成し、紙幣３２に対して生成したイオンを放出する（ステップ３）。放出されたイオンにより紙幣３２に帯電した電荷を中和し、静電気が除去される。
【００３２】
紙幣収納装置２０が現金自動取引装置１に装着されて装置１は稼動を開始する。そして例えば出金取引が行われると、紙幣収納部２７に収納されている紙幣３２のうち最上部から必要枚数が１枚ずつ分離されて繰り出され、顧客に払い出される。このとき紙幣３２の静電気が除去されているので、紙幣３２は良好に分離されて繰り出される。
【００３３】
以上のように第１の実施の形態においては、電池３７により除電システムを稼動させ、紙幣３２の装填および扉２４が閉じられることを検出したときに除電するようにしたので、オペレータは特別な操作をすることなく、装填された紙幣３２に帯電した静電気を除去することができ、現金自動取引装置１の運用時における紙幣３２の静電気により紙幣間の吸着力を低減させることができ、紙幣３２の分離を良好に行うことができる効果がある。
【００３４】
次に本発明の第２の実施の形態を説明する。図１０は第２の実施の形態の紙幣収納装置を示すブロック図である。図１０において、第２の実施の形態の紙幣収納装置５０にはセット検出部５１が設けられている。セット検出部５１は紙幣収納装置５０が紙幣入出金部７の収納部１０へ装着されたことを検出するもので、図１１に示すように、紙幣収納装置５０と紙幣入出金部７の電気的な接続を行うジャックインコネクタ５２の一部をループ回路として装着を検出するものとなっている。図１１はセット検出部の結線図である。
【００３５】
紙幣入出金部７には電源５３が設けられ、電源５３はジャックインコネクタ５２と接続されている。紙幣収納装置５０には電池は設けられておらず、紙幣入出金部７とジャックインコネクタ５２を介して電気的な接続が行われたときに紙幣入出金部７から電源供給されるものとなっている。
【００３６】
図１２は第２の実施の形態の紙幣収納装置が装着される収納部を示す斜視図である。図１２において、紙幣入出金部７に設けられる収納部１０は、紙幣収納装置５０が装着される装着部１０ａ、１０ｂを有し、装着部１０ａ、１０ｂはそれぞれ前後左右を壁面で覆われた箱状構造になっている。装着部１０ａ、１０ｂの内側の寸法は紙幣収納装置５０の外形寸法とほぼ同じに寸法設定されている。したがって紙幣収納装置５０の扉２４を閉じなければ装着部１０ａ、１０ｂに装着できない構造となっている。そのため第２の実施の形態では扉２４の開閉を検出するための扉センサを設けていない。
【００３７】
各装着部１０ａ、１０ｂの装着側の壁面は低く形成され、また装着側の壁面および左右の壁面の端部が開く方向に曲げられ、紙幣収納装置５０の着脱を行いやすいようになっている。その他の構成は前記第１の実施の形態と同様である。
【００３８】
次に第２の実施の形態の動作を説明する。図１３は第２の実施の形態の動作を示すフローチャートである。通常、紙幣収納装置５０の紙幣収納部２７に、オペレータが手作業で紙幣３２を装填し、その後紙幣３２を装填した紙幣収納装置２０を紙幣入出金部７の収納部１０のいずれかの装着部１０ａ、１０ｂに装着する。紙幣収納装置５０が装着されると、ＣＰＵ制御部３９は、ジャックインコネクタ５２を介して紙幣入出金部７の電源５３から電源供給され、セット検出部５１を用いて紙幣収納装置５０の装着を検出する（ステップ１１）。
【００３９】
紙幣収納装置５０の装着を検出すると、ＣＰＵ制御部３９は、紙幣有無センサ３０により紙幣収納部２７における紙幣３２の有無を監視する（ステップ１２）。紙幣有りと判断すると、ＣＰＵ制御部３９は除電器３１に制御信号を与える。これにより除電器３１はコロナ放電を利用してイオンを生成し、紙幣３２に対して生成したイオンを放出する（ステップ１３）。放出されたイオンにより紙幣３２に帯電した電荷を中和し、静電気が除去される。
【００４０】
以上のように第２の実施の形態によれば、紙幣収納装置５０が紙幣入出金部７の収納部１０に装着されたことおよび紙幣有りを検出した場合に、紙幣３２に帯電した静電気を除去するようにすることにより、オペレータが特別な操作を行うことなく、紙幣収納装置５０から紙幣を分離して繰り出す際の分離不良を低減できる効果が得られる。また除電の際の電源元として現金自動取引装置１側の電源を使用するので、紙幣収納装置５０に特に電池等を設ける必要がない。
【００４１】
次に第３の実施の形態を説明する。図１４は第３の実施の形態の紙幣収納装置を示すブロック図である。第３の実施の形態の紙幣収納装置は、前記第１の実施の形態と前記第２の実施の形態を組み合わせた構成で、電源供給元の構成が前記２つの実施の形態と異なる。
【００４２】
図１４において、第３の実施の形態の紙幣収納装置６０には、紙幣有無センサ３０、扉センサ３３およびセット検出部５１が設けられている。紙幣有無センサ３０および扉センサ３３は第１の実施の形態のものと同様で、セット検出部５１は第２の実施の形態のものと同様である。紙幣収納装置６０にはさらに、電源切替部６１および電池３７が設けられている。
【００４３】
電源切替部６１は紙幣収納装置６０内の各部、即ち、除電器３１、ＣＰＵ制御部３９、アンプ４０、紙幣有無センサ３０、扉センサ３３およびセット検出部５１に接続され、さらに電池３７に接続されるとともにジャックインコネクタ５２に接続されている。電源切替部６１は、ＣＰＵ制御部３９の制御の下に、電池３７からの電源供給かあるいは紙幣入出金部７の電源５３からの電源供給かを切り替えるものである。またＣＰＵ制御部３９は、電池３７の容量を検出できるものである。なお紙幣収納装置６０が装着される紙幣入出金部７の収納部１０は前記第２の実施の形態のものと同様となっている。
【００４４】
次に第３の実施の形態の動作を説明する。図１５は第３の実施の形態の動作を示すフローチャートである。ＣＰＵ制御部３９は電池３７の容量を常に監視している。電池３７の容量が十分ある場合（ステップ２１）、電源切替部６１が電池３７からの電源供給に切替え（ステップ２２）、ＣＰＵ制御部３９は、紙幣有無センサ３０により紙幣収納装置６０内に紙幣が有るかどうか検出する（ステップ２３）。紙幣有りと判断すると、次に紙幣収納装置６０の扉２４が閉じられているかどうかを検出する（ステップ２４）。
【００４５】
扉閉を検出すると、ＣＰＵ制御部３９は除電器３１に制御信号を与える。これにより除電器３１はコロナ放電を利用してイオンを生成し、紙幣に対して生成したイオンを放出する（ステップ２５）。
【００４６】
電池３７が消耗し、装置内の各部に電源供給できなくなると、電源切替部６１は電池３７での電源供給を停止し、紙幣入出金部７の電源５３からの電源供給に切替える（ステップ２６）。この状態で、紙幣収納装置６０が収納部１０へ装着されると、ジャックインコネクタ５２を介して紙幣収納部７側の電源５３から電源供給される（ステップ２７）。
【００４７】
ここでＣＰＵ制御部３９は紙幣有無センサ３０を用いて紙幣収納装置６０内に紙幣が有るかどうか検出する（ステップ２８）。紙幣有りと判断すると、ＣＰＵ制御部３９は除電器３１に制御信号を与える。これにより除電器３１はコロナ放電を利用してイオンを生成し、紙幣に対して生成したイオンを放出する（ステップ２５）。
【００４８】
通常、紙幣入出金部７の収納部１０に対して着脱可能に装着される紙幣収納装置６０には、オペレータが外部にある紙幣を手作業で装填し、その後、紙幣収納装置６０を収納部１０に装着し、現金自動取引装置の運用が開始される。オペレータが紙幣を装填し、紙幣収納装置６０が収納部１０へ装着されると、紙幣入出金部７から紙幣収納装置６０の各部に電源が供給され、紙幣有無センサ３０が紙幣有りと検出する。
【００４９】
この状態をＣＰＵ制御部３９が見つけると、ＣＰＵ制御部３９は、除電器３１に制御信号を与え、除電器３１はコロナ放電を利用してイオンを生成し、紙幣に向けて放出する。放出されたイオンにより、紙幣に帯電した電荷を中和し、静電気が除電される。
【００５０】
以上のように第３の実施の形態においては、紙幣収納装置６０に設けた電池３７の残容量を検出し、電池の容量が十分ある場合は電池を電源として除電を行い、電池の容量が十分でない場合は紙幣収納装置が装着された後に紙幣収納部の電源を利用して除電を行うようにしたので、電池の残容量を気にすることなく収納紙幣の静電気を除去することが可能となる。
【００５１】
次に第４の実施の形態を説明する。図１６は第４の実施の形態の紙幣収納装置を示すブロック図である。第４の実施の形態の紙幣収納装置は、基本的には前記第２の実施の形態の構成と同様である。図１６において、紙幣収納装置５０が装着され、電気的に接続される紙幣収納部７には電源５３のほかにＣＰＵ制御部７０が設けられている。ＣＰＵ制御部７０は、紙幣収納装置５０に対して収納してある紙幣を分離する命令、および紙幣を紙幣収納装置５０に集積する命令を出すようになっている。その他の構成は第２の実施の形態と同様である。
【００５２】
次に第４の実施の形態の動作を図１７のフローチャートにしたがって説明する。図１７は第４の実施の形態の動作を示すフローチャートである。紙幣収納装置５０のＣＰＵ制御部３９は、紙幣収納装置５０が紙幣入出金部７の収納部１０へ装着された時点でジャックインコネクタ５２を介して紙幣入出金部７の電源５３から電源供給され、セット検出部５１を用いて紙幣収納装置５０の装着を検出する（ステップ３１）。
【００５３】
紙幣収納装置５０の装着を検出すると、ＣＰＵ制御部３９は、紙幣入出金部７のＣＰＵ制御部７０から紙幣収納装置５０に対して紙幣を分離する命令が出されると、この分離命令を受信し（ステップ３２）、紙幣有無センサ３０により紙幣収納部２７における紙幣３２の有無を監視する（ステップ３３）。ここで紙幣有りと判断すると、ＣＰＵ制御部３９は除電器３１に制御信号を与え、紙幣に帯電した静電気の除電を開始する（ステップ３４）。これにより除電器３１は、コロナ放電を利用してイオンを生成し、紙幣３２に対して生成したイオンを放出する。
【００５４】
紙幣収納装置５０から指定された枚数の紙幣が分離されると、紙幣入出金部７のＣＰＵ制御部７０から紙幣収納装置５０に対して分離停止命令が出される。紙幣収納装置５０のＣＰＵ制御部３９は、この命令を受信すると（ステップ３５）、除電器３１に対して除電を停止する制御信号を与える（ステップ３６）。これにより除電器３１は静電気の除電を停止する。
【００５５】
紙幣収納装置５０に対して紙幣を集積する場合も同様に行われる。即ち、ステップ３２およびステップ３５における「分離命令」および「分離停止命令」をそれぞれ「集積命令」および「集積停止命令」と置き換えればよい。
【００５６】
以上のように第４の実施の形態によれば、紙幣収納装置５０から紙幣を分離する命令が出されたときに、除電器３１により、収納されている紙幣の静電気を除去するようにしたので、分離の直前に除電を行うことができ、静電気による紙幣の吸着力の低減を良好に行うことができ、分離不良をより一層低減することができる。
【００５７】
また、紙幣収納装置５０に紙幣を集積する命令が出されたときに、除電器３１により、集積される紙幣の静電気を除去するようにしたので、紙幣同士が吸着することなく紙幣を集積でき、正しく整列した状態で紙幣を紙幣収納装置５０内に収納することができる。
【００５８】
上記各実施の形態では媒体収納装置として紙幣収納装置を例に説明したが、本発明はこれに限らず、媒体を分離可能に収納する装置であれば他の装置にも適用可能である。
【図面の簡単な説明】
【００５９】
【図１】第１の実施の形態の紙幣収納装置を示す斜視図である。
【図２】第１の実施の形態の紙幣収納装置が装着される自動取引装置を示す一部切欠き斜視図である。
【図３】自動取引装置に装着される紙幣入出金部を示す斜視図である。
【図４】第１の実施の形態の紙幣収納装置を示す斜視図である。
【図５】第１の実施の形態の紙幣収納装置を示す側面図である。
【図６】紙幣収納装置の内部を示す正面図である。
【図７】コントロール部を示す一部切欠き斜視図である。
【図８】第１の実施の形態の紙幣収納装置における除電システムを示すブロック図である。
【図９】第１の実施の形態の動作を示すフローチャートである。
【図１０】第２の実施の形態の紙幣収納装置を示すブロック図である。
【図１１】セット検出部の結線図である。
【図１２】第２の実施の形態の紙幣収納装置が装着される収納部を示す斜視図である。
【図１３】第２の実施の形態の動作を示すフローチャートである。
【図１４】第３の実施の形態の紙幣収納装置を示すブロック図である。
【図１５】第３の実施の形態の動作を示すフローチャートである。
【図１６】第４の実施の形態の紙幣収納装置を示すブロック図である。
【図１７】第４の実施の形態の動作を示すフローチャートである。
【符号の説明】
【００６０】
１    現金自動取引装置
７    紙幣入出金部
１０  収納部
２０、５０、６０  紙幣収納装置
２４  扉
３０  紙幣有無センサ
３１  除電器
３２  紙幣
３３  扉センサ
３７  電池
３９  ＣＰＵ制御部
５１  セット検出部
６１  電源切替部
７０  ＣＰＵ制御部
【図１】
2007052523.tif 000003
【図２】
2007052523.tif 000004
【図３】
2007052523.tif 000005
【図４】
2007052523.tif 000006
【図５】
2007052523.tif 000007
【図６】
2007052523.tif 000008
【図７】
2007052523.tif 000009
【図８】
2007052523.tif 000010
【図９】
2007052523.tif 000011
【図１０】
2007052523.tif 000012
【図１１】
2007052523.tif 000013
【図１２】
2007052523.tif 000014
【図１３】
2007052523.tif 000015
【図１４】
2007052523.tif 000016
【図１５】
2007052523.tif 000017
【図１６】
2007052523.tif 000018
【図１７】
2007052523.tif 000019